(57)【要約】  ランプ１は、透光性材料からなる基板２０ａ，２２ａ，２４ａおよび当該基板２０ａ，２２ａ，２４ａに実装されたＬＥＤチップを有する３つの発光モジュール２０，２２，２４と、透光性材料からなり且つ３つの発光モジュール２０，２２，２４が内部に配置されたグローブ１０と、グローブ１０の内方に向かって延出し且つ先端部に発光モジュール２０，２２，２４が取り付けられた第１支持部材４０とを備える。そして、３つの発光モジュール２０，２２，２４それぞれの主光出射方向（各取付面４１ａ，４１ａ，４１ｃの法線ｎ１，ｎ２，ｎ３に沿った方向）が、互いに異なる方向を向いている。
2013099074.tif 000002
【特許請求の範囲】
【請求項１】
透光性材料からなる基板および当該基板に実装された複数の発光素子を有する複数の発光モジュールと、
透光性材料からなり且つ一部に開口部を有するグローブと、
前記グローブの前記開口部から内方に向かって延出され且つ先端部に前記複数の発光モジュールそれぞれが取り付けられた支持部材とを備え、
前記複数の発光モジュールそれぞれの主出射方向のうち、少なくとも２つの主光出射方向が異なる方向を向いている
ことを特徴とするランプ。
【請求項２】
前記支持部材は、柱状であり且つ前記グローブの前記開口部から中心方向に向かって延出されるとともに、先端部に前記複数の発光モジュールそれぞれが取り付けられる複数の取付面が形成されてなり、
前記複数の取付面の法線方向のうち、少なくとも２つが互いに交差している
ことを特徴とする請求項１記載のランプ。
【請求項３】
前記複数の取付面は、前記支持部材の軸周りに分散して存在し且つ各取付面の法線方向と前記支持部材の軸方向とのなす角度が互いに等しい
ことを特徴とする請求項２記載のランプ。
【請求項４】
前記複数の発光素子は、前記基板上に列状に配置されてなり、
前記基板の前記複数の発光素子が実装される面に沿って前記複数の発光素子の列方向に延伸する仮想直線が、捩れの位置関係となるように、前記複数の発光モジュールが前記複数の取付面それぞれに取り付けされている
ことを特徴とする請求項２または請求項３に記載のランプ。
【請求項５】
前記支持部材の軸方向から見たときに、前記複数の取付面が前記支持部材の軸周りに等間隔に存在し、
前記複数の取付面それぞれに沿って延伸し且つ前記複数の取付面それぞれの中心位置と前記支持部材の軸とを結ぶ中心線と前記仮想直線とのなす角度が互いに等しい
ことを特徴とする請求項４記載のランプ。
【請求項６】
前記基板は、矩形板状に形成され
前記複数の発光素子は、前記基板の長手方向に沿って配置されてなる
ことを特徴とする請求項４または請求項５記載のランプ。
【請求項７】
前記支持部材は、前記グローブの内方に向かって延在し且つ前記複数の発光モジュールそれぞれに電気的に接続された複数のリード線からなる
ことを特徴とする請求項１記載のランプ。
【請求項８】
請求項１乃至７のいずれか１項に記載のランプを備える
ことを特徴とする照明器具。
【発明の詳細な説明】
【技術分野】
【０００１】
本発明は、発光素子を用いたランプに関し、特に、配光特性の改善に関する。
【背景技術】
【０００２】
従来から、白熱電球またはハロゲン電球に比べて高効率且つ長寿命である、ＬＥＤ（Light Emitting Diode）チップ等の半導体発光素子を用いたランプが提案されている（特許文献１，２参照）。
【先行技術文献】
【特許文献】
【０００３】
【特許文献１】特開２００６−３１３７１７号公報
【特許文献２】特許第４２９０８８７号公報
【発明の概要】
【発明が解決しようとする課題】
【０００４】
ところで、この種のランプには、光源として、例えば、図１１（ａ）に示すように、ガラス等の透光性材料からなる基板１１１０上に複数（図１１（ａ）の例では、１６個）のＬＥＤチップ１１２０を実装し、これら複数のＬＥＤチップ１１２０を、波長変換材料を含有する封止部材１１３０で封止してなる発光モジュール１１００を用いることが考えられる。この発光モジュール１１００は、ＬＥＤチップ１１２０から、基板１１１０を通って基板１１１０におけるＬＥＤチップ１１２０の実装面とは反対側の面（裏面）からも光が放射される。【０００５】
そして、このような基板１１１０の両面から光が放射される発光モジュール１１００を用いたランプとして、例えば、図１２に示すように、グローブ１０１０の略中央部に発光モジュール１１００が配置されたランプ１００１が考えられる。ここで、発光モジュール１１００は、支持部材１１４０の先端部に取着されている。また、支持部材１１４０は、グローブ１０１０と口金１１３０とが取り付けられたケース１１６０に固定されている。【０００６】
しかしながら、図１１（ａ）に示すような発光モジュール１１００は、図１１（ｂ）の一点鎖線Ｓで表されるような配光特性を示す。即ち、発光モジュール１１００の配光特性は、基板１１１０の主面に沿った方向に放射される光（図１１（ｂ）の領域Ａ１に放射される光）の光量が、基板１１１０の主面に交差する方向（例えば、主面とのなす角度が３０°乃至９０°の方向）に放射される光（図１１（ｂ）の領域Ａ２に放射される光）の光量に比べて小さくなる。すると、図１２に示すように、点灯時において、グローブ１０１０の周壁における基板１１１０の主面を含む仮想面と交わる部位の近傍（図１２中のハッチングで示した部分）が暗くなってしまう。【０００７】
このように点灯時において、グローブ１０１０の周壁に暗い部分ができると、ランプ１００１から周囲に放射される光に光量斑ができてしまい、ランプ１００１の配光特性が悪化してしまう。ここにおいて、ランプ１００１から周囲に放射される光の光量斑が少ないほどランプ１００１の配光特性が良いとしている。【０００８】
本発明は、上記事由に鑑みてなされたものであり、配光特性の向上を図ることができるランプを提供することを目的とする。
【課題を解決するための手段】
【０００９】
本発明に係るランプは、透光性材料からなる基板および当該基板に実装された発光素子を有する複数の発光モジュールと、透光性材料からなり且つ一部に開口部を有するグローブと、グローブの開口部から内方に向かって延出され且つ先端部に複数の発光モジュールそれぞれが取り付けられた支持部材とを備え、複数の発光モジュールそれぞれの主光出射方向のうち、少なくとも２つの主光出射方向が異なる方向を向いている。
【発明の効果】
【００１０】
本構成によれば、グローブ内に配置された複数の発光モジュールそれぞれの主光出射方向のうち、少なくとも２つの主光出射方向が異なる方向を向いていることにより、複数の発光モジュールの少なくとも２つの主光出射方向がグローブの周壁における少なくとも２箇所に向く形で各発光モジュールから光が放射される。これにより、発光モジュールの主光出射方向が同一方向である構成に比べて、グローブの周壁における光量斑が生じにくくなるので、ランプの配光特性を向上することができる。
【図面の簡単な説明】
【００１１】
【図１】実施の形態１に係る電球形ランプの斜視図
【図２】実施の形態１に係る電球形ランプの断面図
【図３】実施の形態１に係る発光モジュールを示し、（ａ）は斜視図、（ｂ）は平面図
【図４】実施の形態１に係る発光モジュールおよび第１支持部材について、（ａ）はランプ軸方向から見た図、（ｂ）は発光モジュールを取り除いた状態でランプ軸方向から見た図
【図５】実施の形態１に係る発光モジュールおよび第１支持部材について、（ａ）はランプ軸に直交する方向から見た断面図、（ｂ）は取付面の法線方向から見た斜視図
【図６】実施の形態２に係る照明器具の一部破断した側面図
【図７】変形例に係るランプの斜視図
【図８】変形例に係る発光モジュールおよび第１支持部材について、（ａ）はランプ軸方向から見た図、（ｂ）は発光モジュールを取り除いた状態でランプ軸方向から見た図
【図９】変形例に係る発光モジュールおよび第１支持部材について、（ａ）はランプ軸に直交する方向から見た断面図、（ｂ）は取付面の法線方向から見た斜視図
【図１０】変形例に係るランプの斜視図
【図１１】従来例に係る発光モジュールを示し、（ａ）は斜視図、（ｂ）は、光学特性を説明するための図
【図１２】従来例に係るランプの光学的特性を説明するための図
【発明を実施するための形態】
【００１２】
＜実施の形態１＞
＜１＞構成
図１は、本実施の形態に係るランプ１の斜視図であり、図２は、本実施の形態に係るランプ１の断面図である。なお、図２において、紙面上下方向に沿って描かれた一点鎖線はランプ１の対称軸（以下、「ランプ軸」と称する）Ｊ１を示している。
【００１３】
図１および図２に示すように、本実施の形態に係るランプ１は、白熱電球に代替する電球形のＬＥＤランプであって、透光性のグローブ１０と、３つの発光モジュール２０，２２，２４と、外部から電力を受電するための口金３０と、第１支持部材４０と、第２支持部材５０と、ケース６０と、電源装置８０とを備える。
【００１４】
＜１−１＞グローブ
グローブ１０は、透光性を有する中空部材であって、３つの発光モジュール２０，２２，２４が内部に配置されている。このグローブ１０は、可視光に対して透明なシリカガラスから形成されている。
【００１５】
また、グローブ１０は、中空の球状部と当該球状部の一部から外方に突出する突出部とから構成される形状を有し、突出部の先端部に開口部１１が形成されている。即ち、グローブ１０の形状は、一般的な白熱電球と同様のＡ形（ＪＩＳ  Ｃ７７１０）である。なお、グローブ１０の形状は、必ずしもＡ形である必要はない。例えば、グローブ１０の形状は、Ｇ形であってもよい。また、グローブ１０は、必ずしも可視光に対して透明である必要はなく、例えば、シリカを塗布して乳白色の拡散膜を形成する等によって拡散処理が施されてなるものでもよい。また、グローブ１０は、必ずしもシリカガラス製である必要はなく、アクリル樹脂等の透光性樹脂からなるものでもよい。
【００１６】
＜１−２＞発光モジュール
発光モジュール２０，２２，２４は、透光性材料からなる基板２０ａ，２２ａ，２４ａと、基板２０ａ，２２ａ，２４ａ上に実装された複数（例えば、１８個）のＬＥＤチップを備えており、主光出射方向が各基板２０ａ，２２ａ，２４ａの主面の法線方向と一致している。
【００１７】
また、発光モジュール２０は、電源装置８０から２本のリード線７０ａ、７０ｂを介して電力供給を受ける。また、発光モジュール２２は、電源装置８０から２本のリード線７２ａ，７２ｂを介して電力供給を受け、発光モジュール２４は、電源装置８０から２本のリード線７４ａ，７４ｂを介して電力供給を受ける。
【００１８】
次に、本実施の形態に係る発光モジュール２０の構成について、図３（ａ）および（ｂ）を用いて詳述する。なお、発光モジュール２２，２４は、発光モジュール２０と同様の構成であるので、ここでは説明を省略する。
【００１９】
図３（ａ）は、本実施の形態に係る発光モジュールの斜視図であり、図３（ｂ）は、平面図である。
【００２０】
図３（ａ）および（ｂ）に示すように、発光モジュール２０は、ＬＥＤチップが基板上に直接実装されたＣＯＢ型（Ｃｈｉｐ  Ｏｎ  Ｂｏａｒｄ）の発光モジュールであって、基板２０ａと、青色光を放射するＬＥＤチップ２０ｂと、封止部材２０ｃと、給電端子２０ｄ１，２０ｄ２とを有する。
【００２１】
基板２０ａは、矩形板状に形成され且つ厚み方向における一面（主面）側に複数のＬＥＤチップ２０ｂが実装される。また、基板２０ａは、長手方向における両端部それぞれに第１貫通孔２０ｅが形成されるとともに、長手方向における略中央部に第２貫通孔２０ｆが形成されている。ここで、第１貫通孔２０ｅは、基板２０ａの厚み方向に沿った方向（主面の法線方向）から見て（以下、「平面視」と称す。）略円形状であり、第２貫通孔２０ｆは、平面視で矩形状である。この基板２０ａは、セラミックス（例えば、アルミナ）やガラス等の可視光に対して透光性を有する透光性材料からなる。
【００２２】
ＬＥＤチップ２０ｂは、ＧａＮ系の半導体材料から形成されている。ＬＥＤチップ２０ｂは、基板２０ａの一面側に複数個（図３（ａ）および（ｂ）では、１８個）実装されている。そして、９個のＬＥＤチップ２０ｂを一列として２列配置されている。そして、基板２０ａの長手方向において隣接するＬＥＤチップ２０ｂ同士は、当該ＬＥＤチップ２０ｂの間に配設された電極パッド（図示せず）と当該電極パッドに電気的に接続されたワイヤ（図示せず）を介して電気的に接続されている。なお、本実施の形態では、１８個のＬＥＤチップ２０ｂが基板２０ａ上に実装された例について説明したが、これに限定されるものではなく、ＬＥＤチップ２０ｂの個数は、ランプ１の用途に応じて適宜変更してもよい。また、ＬＥＤチップ２０ｂが、基板２０ａ上に２列に実装されている例について説明したが、これに限定されるものではなく、例えば、１列や３列以上の複数列でもよい。
【００２３】
封止部材２０ｃは、複数（図３（ａ）および（ｂ）では９個）のＬＥＤチップ２０ｂからなる素子列全体を覆うように配置されている。従って、封止部材２０ｃの長手方向は、上記素子列の列方向と一致している。本実施の形態では、上記素子列が２列設けられているので、２本の封止部材２０ｃが設けられている。また、封止部材２０ｃは、波長変換部材である蛍光体を含有し、ＬＥＤチップ２０ｂから放射される青色光を黄色光に変換する。具体的には、封止部材２０ｃは、透光性を有するシリコーン樹脂に黄色蛍光体粒子（図示せず）および光拡散材（図示せず）を分散させてなる。この蛍光体粒子としては、（Ｙ，Ｇｄ）3Ａｌ5Ｏ12：Ｃｅ3+、Ｙ3Ａｌ5Ｏ12：Ｃｅ3+、などのＹＡＧ系の黄色蛍光体粒子からなる。これにより、ＬＥＤチップ２０ｂから放射された青色光の一部が、封止部材２０ｃに含有される黄色蛍光体粒子によって黄色光に変換される。そして、黄色蛍光体粒子により変換されなかった青色光と、黄色蛍光体粒子によって変換されてなる黄色光とが混合されて白色光となって封止部材２０ｃの外周面から放射される。また、前述のように、基板２０ａは透光性材料から形成されている。これにより、ＬＥＤチップ２０ｂの青色光と当該青色光が封止部材２０ｃにより変換されてなる黄色光とが、基板２０ａを透過してＬＥＤチップ２０ｂが実装される上記一面側とは反対側の他面側からも放射される。
【００２４】
また、光拡散材としては、シリカ等の透光性材料からなる粒子が用いられている。なお、黄色蛍光体粒子としては、例えば、（Ｓｒ，Ｂａ）2ＳｉＯ4：Ｅｕ2+、Ｓｒ3ＳｉＯ5：Ｅｕ2+等の黄色蛍光体でもよいし、或いは、（Ｂａ，Ｓｒ）2ＳｉＯ4：Ｅｕ2+、Ｂａ3Ｓｉ6Ｏ12Ｎ2：Ｅｕ2+などの緑色蛍光体およびＣａＡｌＳｉＮ3：Ｅｕ2+、Ｓｒ2（Ｓｉ，Ａｌ）5（Ｎ，Ｏ）8：Ｅｕ2+などの赤色蛍光体とを用いても構わない。
【００２５】
また、封止部材２０ｃは、必ずしもシリコーン樹脂によって構成する必要はなく、フッ素系樹脂など有機材のほか、低融点ガラス、ゾルゲルガラス等の無機材を用いてもよい。なお、無機材は有機材に比べて耐熱特性が優れているので、無機材からなる封止部材２０ｃは、高輝度化に有利である。
【００２６】
また、封止部材２０ｃは、ＬＥＤチップ２０ｂが実装されていない面にも形成しても構わない。これにより、基板２０ａ内を透過してＬＥＤチップ２０ｂが実装されていない面から放射される青色光も黄色光に変換される。したがって、ＬＥＤチップ２０ｂが実装されていない側から放射される光の色を、封止部材２０ｃから直接放射される光の色に近づけることができる。
【００２７】
或いは、基板２０ａにおけるＬＥＤチップ２０ｂの直下部分に黄色蛍光体を焼付けしたものであってもよい。この場合、ＬＥＤチップ２０ｂから当該ＬＥＤチップ２０ｂの直下部分を通って基板２０ａにおけるＬＥＤチップ２０ｂが実装されていない面から放射される青色光も黄色光に変換される。
【００２８】
なお、封止部材２０ｃは、素子列に従って直線状に２本形成される例について説明したが、これに限定されるものではなく、例えば、基板２０ａ上の全てのＬＥＤチップ２０ｂを一括して覆うように形成されるものでもよい。
【００２９】
給電端子２０ｄ１、２０ｄ２は、電源装置８０からリード線７０ａ、７０ｂを介して電力供給を受けるための端子である。ここにおいて、第１貫通孔２０ｅそれぞれに、リード線７０ａ、７０ｂそれぞれの先端部を挿通した状態で、半田からなる導電性接合部材を第１貫通孔２０ｅに流し込むことによって、給電端子２０ｄ１とリード線７０ａとが電気的に接続されるとともに給電端子２０ｄ２とリード線７０ｂとが電気的に接続される。
【００３０】
また、基板２０ａのＬＥＤチップが実装される面側には、金属配線２０ｄ３，２０ｄ４がパターンニングされている。この金属配線２０ｄ３，２０ｄ４は、上記各素子列の両端部に配置されたＬＥＤチップ２０ｂと、給電端子２０ｄ１，２０ｄ２とを電気的に接続する。この金属配線の材料としては、例えば、銀（Ａｇ）、タングステン（Ｗ）、銅（Ｃｕ）またはＩＴＯ（Ｔｉｎ−ｄｏｐｅｄ  Ｉｎｄｉｕｍ  Ｏｘｉｄｅ）等を用いることができる。なお、この金属配線２０ｄ３，２０ｄ４は、その表面にニッケル（Ｎｉ）／金（Ａｕ）等のメッキ処理が施されたものでもよい。
【００３１】
＜１−３＞口金
口金３０は、例えば、Ｅ２６形の口金であり、ランプ１が照明器具に取着されて点灯された際に、照明器具のソケットから電力を受けるためのものである。図２に示すように、この口金３０は、略円筒状のシェル３１と、シェル３１の筒軸方向における片側に絶縁体部３２を介して装着されたアイレット３３とからなる。
【００３２】
シェル３１は、電源線９０ａを介して電源装置８０に接続され、アイレット３３は電源線９０ｂを介して電源装置８０に接続されている。シェル３１の外周面には、照明器具のソケットに螺合させるための雄螺子部が形成され、内周面には、ケース６０の第２ケース部６２に螺合させるための雌螺子部が形成されている。なお、電源線９０ａは、ケース６０の第２ケース部６２の内側から周壁に貫設された貫通孔６２ａに挿通され、その先端部がシェル３１に設けられた切欠部３１ａの内側に配置された状態でシェル３１に半田付けされている。これにより、電源線９０ａとシェル３１とが半田を介して電気的に接続される。なお、口金３０は、必ずしもＥ２６形の口金である必要はなく、Ｅ１７形など異なる大きさの口金であってもよい。また、口金３０は、必ずしもネジ込み形の口金である必要はなく、例えば差し込み形など異なる形状の口金であってもよい。
【００３３】
＜１−４＞第１支持部材
図１および図２に示すように、第１支持部材４０は、長尺の円柱状であり、その軸がランプ軸Ｊ１と一致するように、グローブ１０の開口部１１の近傍からグローブ１０の内方に向かって延出しており、基端部４０ａが、第２支持部材５０に固定されている。この第１支持部材４０は、金属やセラミックス、ガラス等から形成されている。
【００３４】
第１支持部材４０と３つの発光モジュール２０，２２，２４とについて、ランプ軸Ｊ１方向から見た図を図４（ａ）に示し、３つの発光モジュール２０，２２，２４を取り除いた状態でランプ軸Ｊ１方向から見た図を図４（ｂ）に示す。なお、図４（ａ）では、給電端子を省略して図示している。
【００３５】
図４（ｂ）に示すように、第１支持部材４０には、発光モジュール２０，２２，２４が取り付けられる３つの取付面４１ａ，４１ｂ，４１ｃが形成されている。この取付面４１ａ，４１ｂ，４１ｃは、矩形状に形成されており、第１支持部材４０の長手方向に沿って延伸するランプ軸Ｊ１周りに等間隔に存在している。そして、各取付面４１ａ，４１ｂ，４１ｃの中心位置とランプ軸Ｊ１とを結ぶ中心線Ｊ２１，Ｊ２２，Ｊ２３を当該ランプ軸Ｊ１方向から見た場合、中心線Ｊ２１，Ｊ２２のなす角度、中心線Ｊ２２，Ｊ２３のなす角度、中心線Ｊ２３，Ｊ２１のなす角度が全て１２０°で等しくなるように位置している。そして、図４（ａ）に示すように、各発光モジュール２０，２２，２４は、基板２０ａ，２２ａ，２４ａにおけるＬＥＤチップや封止部材２０ｃ，２２ｃ，２４ｃが設けられる面とは反対側の面が各取付面４１ａ，４１ｂ，４１ｃに当接した状態で取り付けられる。このとき、各発光モジュール２０，２２，２４の主光出射方向（基板２０ａ，２２ａ，２４ａの主面の法線方向）は、各取付面４１ａ，４１ｂ，４１ｃの法線ｎ１，ｎ２，ｎ３に沿った方向と一致する。また、ランプ軸Ｊ１方向から見て、各発光モジュール２０，２２，２４の主光出射方向、即ち、各取付面４１ａ，４１ｂ，４１ｃの法線ｎ１，ｎ２，ｎ３に沿った方向がランプ軸Ｊ１を中心として放射状に延伸している。
【００３６】
また、図４（ａ）および（ｂ）に示すように、第１支持部材４０の先端部の３つの取付面４１ａ，４１ｂ，４１ｃには、各取付面４１ａ，４１ｂ，４１の法線ｎ１，ｎ２，ｎ３に沿った方向に突出する凸部４１ａ１，４１ｂ１，４１ｃ１が設けられている。各凸部４１ａ１，４１ｂ１，４１ｃ１は、各取付面４１ａ，４１ｂ，４１ｃの法線方向（法線ｎ１，ｎ２，ｎ３に沿った方向）から見て矩形状に形成されている。ここで、各凸部４１ａ１，４１ｂ１，４１ｃ１の各取付面４１ａ，４１ｂ，４１ｃの法線方向（法線ｎ１，ｎ２，ｎ３に沿った方向）から見た外形寸法は、各基板２０ａ，２２ａ，２４ａに設けられた第２貫通孔２０ｆ，２２ｆ，２４ｆの平面視形状の外形寸法に略等しくなっている。そして、各凸部４１ａ１，４１ｂ１，４１ｃ１が、第２貫通孔２０ｆ，２２ｆ，２４ｆそれぞれに差し込まれる。これにより、各基板２０ａ，２２ａ，２４ａに対して、各取付面４１ａ，４１ｂ，４１ｃに沿った方向に力が加わっても各基板２０ａ，２２ａ，２４ａの移動が抑止される。また、各取付面４１ａ，４１ｂ，４１ｃにおける各基板２０ａ，２２ａ，２４ａの位置決めも容易になる。
【００３７】
第１支持部材４０の基端部４０ａは、電源装置８０から導出したリード線７０ａ，７０ｂ，７２ａ，７２ｂ，７４ａ，７４ｂを挿通するための６つの挿通孔４０ａ１，４０ａ２，４０ａ３，４０ａ４，４０ａ５，４０ａ６が形成されている。
【００３８】
各基板２０ａ，２２ａ，２４ａと第１支持部材４０とは、シリコーン樹脂からなる接着剤によって固着されている。なお、この接着剤としては、発光モジュール２０，２２，２４の熱を第１支持部材４０により効率良く伝熱させるために、例えば、金属微粒子が分散されたシリコーン樹脂等からなる接着剤を用いてもよい。
【００３９】
＜１−５＞第２支持部材
図１および図２に示すように、第２支持部材５０は、略円板状に形成されグローブ１０の開口部１１を塞ぐように配置されている。そして、第２支持部材５０は、グローブ１０側の面に螺子（図示せず）により第１支持部材４０が固定されるとともに、その周面がケース６０の内周面に当接した状態で接着剤によりケース６０に固着されている。また、第２支持部材５０の周部には、段差部５０ａが形成されており、当該段差部５０ａにはグローブ１０の開口端部１１ａが配置されている。そして、段差部５０ａとケース６０の周壁とで囲まれた領域にグローブ１０の開口端部１１ａを配置した状態で、段差部５０ａとケース６０の周壁とで囲まれた領域に接着剤５２を流し込むことにより、グローブ１０が第２支持部材５０およびケース６０に固着されている。また、第２支持部材５０は、金属やセラミックス等から形成されている。ここにおいて、第１支持部材４０から第２支持部材５０に伝熱した熱は、グローブ１０またはケース６０に伝わり、グローブ１０またはケース６０の外表面から外気に放出される。
【００４０】
また、第２支持部材５０とケース６０とグローブ１０とは、シリコーン樹脂からなる接着剤５２により固着されている。なお、この接着剤としては、第２支持部材５０からグローブ１０およびケース６０への伝熱性をさらに高めるために、金属微粒子を分散させたシリコーン樹脂からなる接着剤を用いてもよい。
【００４１】
＜１−６＞ケース
ケース６０は、円筒状に形成され且つグローブ１０側に位置する第１ケース部６１と、円筒状に形成され且つ第１ケース部６１にグローブ１０側とは反対側で連続する第２ケース部６２とからなり、第１支持部材４０と口金３０とを電気的に絶縁するとともに内部に電源装置８０が収納される。この第１ケース部６１および第２ケース部６２は、ポリブチレンテレフタレート（ＰＢＴ）等の合成樹脂からなり、例えば、射出成形によって一体成形される。
【００４２】
第１ケース部６１は、内径が第２支持部材５０の外径に略等しく、内周面の一部が第２支持部材５０の周面に接触している。そして、第２支持部材５０は、この第１ケース部６１におけるグローブ１０側の開口から挿入されることで第１ケース部６１の内側に嵌合されて固定される。ここにおいて、第２支持部材５０からケース６０に伝熱した熱の一部は、第１ケース部６１の外周面から外気へ放出される。
【００４３】
第２ケース部６２は、外周面が口金３０の内周面と接触するように構成されており、本実施の形態では、第２ケース部６２の外周面には、雄螺子部が形成されており、この雄螺子部に口金３０のシェル３１に形成された雌螺子部が螺合することで、第２ケース部６２と口金３０とが接触する。ここにおいて、ケース６０に伝導した熱の一部は、第２ケース部６２から口金３０に伝達し、口金３０が取着される照明器具のソケット等からも放出される。
【００４４】
＜１−７＞電源装置
図２に示すように、電源装置８０は、３つの発光モジュール２０，２２，２４に電力を供給するためのものであり、ケース６０内に収納されている。この電源装置８０は、複数の回路素子と、各回路素子が実装される回路基板とから構成される。この回路素子は、調光回路や昇圧回路等を構成するスイッチング素子やインダクタ等である。また、電源装置８０は、口金３０から受電した交流電力を直流電力に変換し、６本のリード線７０ａ、７０ｂ，７２ａ，７２ｂ，７４ａ，７４ｂを介して発光モジュール２０，２２，２４に供給する。なお、ランプ１には、必ずしも電源装置８０が備えられている必要はなく、ランプ１が取り付けられる照明器具のソケット等から直流電力が供給される場合には、この電源装置８０は不要である。
【００４５】
＜２＞発光モジュールの配置について
３つの発光モジュール２０，２２，２４および第１支持部材４０について、ランプ軸Ｊ１に直交する方向から見た断面図を図５（ａ）に示し、取付面４１ａの法線方向から見た図を図５（ｂ）に示す。
【００４６】
図５（ａ）に示すように、取付面４１ａは、その法線ｎ１に沿った方向とランプ軸Ｊ１に沿った方向とのなす角度θ１が略６０°となるように形成されている。また、取付面４１ｂ，４１ｃについても、取付面４１ａと同様に、その法線（図４（ａ）のｎ２，ｎ３）に沿った方向とランプ軸Ｊ１に沿った方向とのなす角度が略６０°となっている。つまり、３つの取付面４１ａ，４１ｂ，４１ｃは、第１支持部材４０の長手方向に沿って延びるランプ軸Ｊ１周りに位置し、その法線ｎ１，ｎ２，ｎ３に沿った方向とランプ軸Ｊ１に沿った方向とのなす角度が互いに６０°で等しくなっている。そして、前述のように、ランプ軸Ｊ１方向から見て、各発光モジュール２０，２２，２４の主光出射方向、即ち、各取付面４１ａ，４１ｂ，４１ｃの法線ｎ１，ｎ２，ｎ３に沿った方向がランプ軸Ｊ１を中心として放射状に延伸している（図４（ａ）参照）。即ち、各発光モジュール２０，２２，２４の主光出射方向は、互いに異なる方向を向いているとともに、第１支持部材４０の長手方向に沿って延伸するランプ軸Ｊ１に対して交差している。ここで、「交差」とは、同一平面内における交差のみならず、立体的に交差することも含む意味である。
【００４７】
これにより、３つの発光モジュール２０，２２，２４それぞれの主光出射方向がグローブ１０の周壁における少なくとも３箇所に向く形で各発光モジュール２０，２２，２４から光が放射される。従って、発光モジュール２０，２２，２４の主光出射方向が同一方向である構成に比べて、グローブ１０の周壁における光量斑が生じにくくなるので、ランプ１の配光特性を向上することができる。
【００４８】
また、各発光モジュール２０，２２，２４は、基板２０ａ，２２ａ，２４ａの厚み方向に放射される光に比べて、基板２０ａ，２２ａ，２４ａの側方（基板２０ａ，２２ａ，２４ａの主面に沿った方向）に放射される光の光量が少ない。そして、基板２０ａ，２２ａ，２４ａの側方に放射される光の中でも、特に、ＬＥＤチップの列方向（封止部材２０ｃ，２２ｃ，２４ｃの長手方向）に直交する方向に放射される光の光量が少ない。
【００４９】
そこで、図５（ｂ）に示すように、ランプ１では、取付面４１ａの法線ｎ１方向から見て、取付面４１ａに沿って延伸し且つ取付面４１ａの中心位置とランプ軸Ｊ１とを結ぶ中心線Ｊ２１と、仮想直線Ｊ３１とのなす角度θ２が、略４５°となっており、各取付面４１ｂ，４１ｃの法線ｎ２，ｎ３方向から見て、各取付面４１ｂ，４１ｃに沿って延伸し且つ各取付面４１ｂ，４１ｃの中心位置とランプ軸Ｊ１とを結ぶ中心線Ｊ２２，Ｊ２３と、仮想直線Ｊ３２，Ｊ３３とのなす角度も、略４５°となっている。つまり、各取付面４１ａ，４１ｂ，４１ｃの法線ｎ１，ｎ２，ｎ３に沿った方向から見て、各取付面４１ａ，４１ｂ，４１ｃに沿って延伸し且つ各取付面４１ａ，４１ｂ，４１ｃの中心位置とランプ軸Ｊ１とを結ぶ中心線Ｊ２１，Ｊ２２，Ｊ２３と仮想直線Ｊ３１，Ｊ３２，Ｊ３３とのなす角度が略４５°で等しくなっている。ここにおいて、３つの仮想直線Ｊ３１，Ｊ３２，Ｊ３３が、捩れの位置関係となるように、基板２０ａ，２２ａ，２４ａが配置されていることになる。ここで、「捩れの位置関係」とは、３つの仮想直線Ｊ３１，Ｊ３２，Ｊ３３が互いに同一平面内で交差しないことを意味する。
【００５０】
これにより、ランプ軸Ｊ１の周方向で隣接する２つの発光モジュール（例えば、発光モジュール２０，２２）において、一方の基板２２ａの側方であり且つＬＥＤチップの列方向（封止部材２２ｃの長手方向）に直交する方向側に、他方の基板２０ａが配置されており、基板２２ａ上に配設された複数のＬＥＤチップの列方向（封止部材２２ｃの長手方向）に直交する方向と、発光モジュール２０の主光出射方向（即ち、取付面４１ａの法線ｎ１に沿った方向）とが略一致しているので、発光モジュール２２から基板２２ａの側方であり且つ封止部材２２ｃの長手方向に直交する方向に放射される光の光量が、発光モジュール２０から主光出射方向に放射される光の光量によって補われる。また、発光モジュール２２，２４においても、発光モジュール２４から基板２４ａの側方であり且つ封止部材２４ｃの長手方向に直交する方向に放射される光の光量が、発光モジュール２２から主光出射方向に放射される光の光量によって補われ、発光モジュール２０，２４においても、発光モジュール２０から基板２０ａの側方であり且つ封止部材２０ｃの長手方向に直交する方向に放射される光の光量が、発光モジュール２４から主光出射方向に放射される光の光量によって補われる。従って、３つの発光モジュール２０，２２，２４全体からグローブ１０の周壁に放射される光の光量斑が低減される。
【００５１】
結局、本実施の形態に係るランプ１は、グローブ１０内に配置された３つの発光モジュール２０，２２，２４それぞれの主光出射方向（取付面４１ａ，４１ｂ，４１ｃの法線ｎ１，ｎ２，ｎ３に沿った方向）が、互いに異なる方向を向いているとともに、第１支持部材４０の軸方向に沿って延伸するランプ軸Ｊ１に対して交差していることにより、３つの発光モジュール２０，２２，２４それぞれの主光出射方向がグローブ１０の周壁における少なくとも３箇所に向く形で各発光モジュール２０，２２，２４から光が放射される。これにより、発光モジュールの主光出射方向が同一方向である構成のランプ（例えば、図１２に示すランプ１００１）に比べて、グローブ１０の周壁における光量斑が生じにくくなるので、ランプ１の配光特性を向上することができる。
【００５２】
＜実施の形態２＞
本実施の形態に係る照明器具の一部破断した概略側面図を図６に示す。
【００５３】
図６に示すように、本実施の形態に係る照明器具１００は、実施の形態１に係るランプ１と、天井材Ｃに取り付けられた器具本体１０２とを備える。
【００５４】
器具本体１０２は、ランプ１を保持するソケット１０３ａが設けられた保持部１０３と、ランプ１の側方を覆うカバー１０４とを備える。
【００５５】
保持部１０３が備えるソケット１０３ａには、天井裏に配線された天井配線が電気的に接続されている。そして、このソケット１０３ａにランプ１の口金３０が螺着されることにより、ランプ１にソケット１０３ａを介して電力が供給される。
【００５６】
カバー１０４は、椀状であり、底部に周壁の厚み方向に貫通する貫通孔（図示せず）が形成されている。そして、カバー１０４の底部に形成された貫通孔からランプ１のグローブ１０がカバー１０４の内側に突出している。そして、ランプ１のグローブ１０の外周面から放射した光は、カバー１０４の内周面で反射されて照明器具１００の外部へ出射される。
【００５７】
＜変形例＞
（１）実施の形態１では、３つの発光モジュール２０，２２，２４を備えるランプ１の例について説明したが、これに限定されるものではなく、２つの発光モジュールを備えるものであってもよい。
【００５８】
本変形例に係るランプ２の斜視図を図７に示す。なお、グローブ１０、口金３０、第２支持部材５０、ケース６０および電源装置（図示せず）は、実施の形態１と同様なのでここでは説明を省略する。また、発光モジュール２２０，２２２の構成は、実施の形態１で説明した発光モジュール２０の構成と同様なので説明を省略する。
【００５９】
第１支持部材２４０は、略円柱状でありその中心軸がランプ軸Ｊ１と一致するようにグローブ１０の開口部１１の近傍からグローブ１０内方に向かって延出している。そして、第１支持部材２４０の基端部２４０ａは、第２支持部材５０に固定されている。また、第１支持部材２４０の先端部２４０ｂには、第１支持部材２４０の長手方向に直交する方向において互いに離れる向きに２つの脚部２４０ｃ１，２４０ｃ２が突出している。また、この第１支持部材２４０は、金属またはセラミックス等の材料から形成されている。
【００６０】
２つの発光モジュール２２０，２２２および第１支持部材２４０について、ランプ軸Ｊ１方向から見た図を図８（ａ）に示し、２つの発光モジュール２２０，２２２を取り除いた状態でランプ軸Ｊ１方向から見た図を図８（ｂ）に示す。なお、図８（ａ）では、給電端子を省略して図示している。
【００６１】
図８（ｂ）に示すように、各脚部２４０ｃ１，２４０ｃ２の先端には、発光モジュール２２０，２２２が取り付けられる２つの取付面２４１ａ，２４１ｂが形成されている。この第１支持部材２４０の先端部２４０ａの取付面２４１ａ，２４１ｂは、楕円形状に形成されており、第１支持部材２４０の長手方向に沿って延びるランプ軸Ｊ１周りに位置している。そして、各取付面２４１ａ，２４１ｂの中心位置とランプ軸Ｊ１とを結ぶ中心線Ｊ２２１，Ｊ２２２をランプ軸Ｊ１方向から見た場合、中心線Ｊ２２１，Ｊ２２２は一直線上に位置している。そして、図８（ａ）に示すように、各発光モジュール２２０，２２２は、基板２２０ａ，２２２ａにおけるＬＥＤチップや封止部材２２０ｃ，２２２ｃが設けられる面とは反対側の面が各取付面２４１ａ，２４１ｂに当接した状態で取り付けられる。このとき、各発光モジュール２２０，２２２の主光出射方向（基板２２０ａ，２２２ａの主面の法線方向）は、各取付面２４１ａ，２４１ｂの法線ｎ２１，ｎ２２方向と一致する。また、ランプ軸Ｊ１方向から見て、各発光モジュール２２０，２２２の主光出射方向、即ち、各取付面２４１ａ，２４１ｂの法線ｎ２１，ｎ２２に沿った方向が略平行に延伸している。
【００６２】
また、図８（ａ）および（ｂ）に示すように、第１支持部材２４０の各脚部２４０ｃ１，２４０ｃ２の先端に形成された２つの取付面２４１ａ，２４１ｂには、各取付面２４１ａ，２４１ｂの法線ｎ２１，ｎ２２に沿った方向に突出する凸部２４１ａ１，２４１ｂ１が設けられており、各凸部２４１ａ１，２４１ｂ１は、各取付面２４１ａ，２４１ｂの法線方向（法線ｎ２１，ｎ２２に沿った方向）から見て矩形状に形成されている。ここで、各凸部２４１ａ１，２４１ｂ１の各取付面２４１ａ，２４１ｂの法線方向（法線ｎ２１，ｎ２２に沿った方向）から見た外形寸法は、各基板２２０ａ，２２２ａに設けられた第２貫通孔２２０ｆ，２２２ｆの平面視形状の外形寸法に略等しくなっている。そして、各凸部２４１ａ１，２４１ｂ１が、第２貫通孔２２０ｆ，２２２ｆそれぞれに差し込まれる。これにより、各基板２２０ａ，２２２ａに対して、各取付面２４１ａ，２４１ｂに沿った方向に力が加わった場合における各基板２２０ａ，２２２ａの移動が抑止され、各取付面２４１ａ，２４１ｂにおける各基板２２０ａ，２２２ａの位置決めも容易になる。
【００６３】
また、第１支持部材２４０の基端部２４０ａは、電源装置から導出するリード線２７０ａ，２７０ｂ，２７２ａ，２７２ｂを挿通するための４つの挿通孔２４０ａ１，２４０ａ２，２４０ａ３，２４０ａ４が形成されている。また、各基板２２０ａ，２２２ａと第１支持部材２４０とは、接着剤（図示せず）により固着されている。
【００６４】
次に、２つの発光モジュール２２０，２２２の配置について説明する。
【００６５】
本変形例に係る２つの発光モジュール２２０，２２２および第１支持部材２４０について、ランプ軸に直交する方向から見た断面図を図９（ａ）に示し、取付面２４１ａの法線方向から見た斜視図を図９（ｂ）に示す。
【００６６】
図９（ａ）に示すように、取付面２４１ａは、その法線ｎ２１とランプ軸Ｊ１とのなす角度θ２１が略６０°となるように形成されている。また、取付面２４１ｂについても、その法線ｎ２２とランプ軸Ｊ１とのなす角度が互いに等しくなっている。また、前述のように、ランプ軸Ｊ１方向から見て、各発光モジュール２２０，２２２の主光出射方向、即ち、各取付面２４１ａ，２４１ｂの法線ｎ２１，ｎ２２に沿った方向が略平行に延伸している。即ち、各発光モジュール２２０，２２２の主光出射方向は、互いに異なる方向を向いているとともに、第１支持部材２４０の軸方向に沿って延伸するランプ軸Ｊ１に対して交差している。
【００６７】
これにより、２つの発光モジュール２２０，２２２それぞれの主光出射方向がグローブ１０の周壁における少なくとも２箇所に向く形で各発光モジュール２２０，２２２から光が放射される。従って、発光モジュール２２０，２２２の主光出射方向が同一方向である構成に比べて、グローブ１０の周壁における光量斑が生じにくくなるので、ランプ２の配光特性を向上することができる。
【００６８】
また、図９（ｂ）に示すように、取付面２４１ａに沿って延伸し且つ取付面２４１ａの中心位置とランプ軸Ｊ１とを結ぶ中心線Ｊ２２１と、仮想直線Ｊ２３１とのなす角度θ２２が、略４５°となっている。そして、取付面２４１ｂに沿って延伸し且つ各取付面２４１ｂの中心位置とランプ軸Ｊ１とを結ぶ中心線Ｊ２２２と、仮想直線Ｊ２３２とのなす角度も略４５°となっている。つまり、２つの発光モジュール２２０，２２２について、２つの仮想直線Ｊ２３１，Ｊ２３２が、捩れの位置関係となるように、２つの発光モジュール２２０，２２２が、第1支持部材２４０に取付けられている。
【００６９】
なお、本変形例では、２つの発光モジュール２２０，２２２を備えるランプ２の例について説明したが、発光モジュールの個数は２個、３個に限定されるものではなく、４個以上の発光モジュールを備えるものであってもよい。
【００７０】
（２）実施の形態１では、第１支持部材４０が１つだけ設けられてなる例について説明したが、これに限定されるものではない。例えば、グローブ１０の内方に向かって延出する複数本の支持部材を備えており、各支持部材の先端部に発光モジュールが取り付けられてなるランプであってもよい。
【００７１】
（３）前述の変形例（２）では、複数本の支持部材を備える例について説明したが、これらの支持部材が、リード線から構成されるものであってもよい。
【００７２】
図１０に示すように、ランプ３では、グローブ１０の内部に配置された３つの発光モジュール３２０，３２２，３２４がリード線７０ａ，７０ｂ，７２ａ，７２ｂ，７４ａ，７４ｂにより支持されている。ここにおいて、リード線７０ａ，７０ｂ，７２ａ，７２ｂ，７４ａ，７４ｂからなる束が、３つの発光モジュール３２０，３２２，３２４を支持する長尺の支持部材を構成している。このリード線７０ａ，７０ｂ，７２ａ，７２ｂ，７４ａ，７４ｂとしては、例えば、鉄ニッケル合金からなる金属線の表面に銅を拡散結合させることにより形成された金属線から構成すればよい。この金属線は、軟質ガラスとの封着性に優れているので、第２支持部材３５０をガラスから形成すれば、リード線７０ａ，７０ｂ，７２ａ，７２ｂ，７４ａ，７４ｂの一部を第２支持部材３５０に埋設した状態で第２支持部材３５０に固定することができる。また、各発光モジュール３２０，３２２，３２４の重量は、リード線７０ａ，７０ｂ，７２ａ，７２ｂ，７４ａ，７４ｂの曲げ強度に基づいて決まる許容範囲内である必要がある。
【００７３】
本変形例によれば、実施の形態１および変形例（１）における第１支持部材４０，２４０が不要となるので、部品点数の削減によるコスト低減を図ることができる。
【００７４】
（４）実施の形態１では、グローブ１０内に配置された３つの発光モジュール２０，２２，２４それぞれの主光出射方向（取付面４１ａ，４１ｂ，４１ｃの法線ｎ１，ｎ２，ｎ３に沿った方向）が、互いに異なる方向を向いているランプ１の例について説明したが、これに限定されるものではなく、例えば、３つの発光モジュール２０，２２，２４のうちの２つの発光モジュールの主光出射方向が平行であり、当該２つの発光モジュールの主光出射方向と残り１つの発光モジュールの主光出射方向とが異なる方向を向いているものであってもよい。
【符号の説明】
【００７５】
１，２  ランプ
１０  グローブ
１１  開口部
１１ａ  開口端部
２０，２２，２４，２２０，２２２  発光モジュール
２０ａ，２２ａ，２４ａ，２２０ａ，２２２ａ  基板
２０ｂ  ＬＥＤチップ
２０ｃ  封止部材
２０ｄ１，２０ｄ２  給電端子
２０ｄ３，２０ｄ４  金属配線
２０ｅ  第１貫通孔
２０ｆ，２２ｆ，２４ｆ，２２０ｆ，２２２ｆ  第２貫通孔
３０  口金
４０，２４０  第１支持部材
４１ａ、４１ｂ、４１ｃ，２４１ａ，２４１ｂ  取付面
４１ａ１，４１ｂ１，４１ｃ１，２４１ａ１，２４１ｂ１  凸部
５０，３５０  第２支持部材
６０  ケース
６１  第１ケース部
６２  第２ケース部
７０ａ，７０ｂ，７２ａ，７２ｂ，７４ａ，７４ｂ  リード線
８０  電源装置
９０ａ，９０ｂ  電源線
１００  照明器具
１０３  保持部
１０３ａ  ソケット
１０４  カバー
Ｃ  天井材
Ｊ１  ランプ軸
Ｊ２１，Ｊ２２，Ｊ２３，Ｊ２２１，Ｊ２２２  中心線
Ｊ３１，Ｊ３２，Ｊ３３，Ｊ２３１，Ｊ２３２  仮想直線
【図１】
2013099074.tif 000003
【図２】
2013099074.tif 000004
【図３】
2013099074.tif 000005
【図４】
2013099074.tif 000006
【図５】
2013099074.tif 000007
【図６】
2013099074.tif 000008
【図７】
2013099074.tif 000009
【図８】
2013099074.tif 000010
【図９】
2013099074.tif 000011
【図１０】
2013099074.tif 000012
【図１１】
2013099074.tif 000013
【図１２】
2013099074.tif 000014
【国際調査報告】
2013099074.tif 000015
2013099074.tif 000016